(57)【要約】【課題】傾斜部に堆積した堆積物を従来よりも効果的に除去することが可能な堆積物除去装置を提供する。【解決手段】堆積物除去装置７は、処理水の汚濁物質が堆積する傾斜部６１を昇降させる昇降部６２と、その昇降部６２による傾斜部６１の昇降を制御する制御部と、を備える。【選択図】図２
2020138112.tif 000002
【特許請求の範囲】
【請求項１】
処理水の汚濁物質が堆積する傾斜部を昇降させる昇降部と、該昇降部による前記傾斜部の昇降を制御する制御部と、を備えることを特徴とする堆積物除去装置。
【請求項２】
前記昇降部は、前記傾斜部の下降速度が前記傾斜部の上昇速度よりも高速になるように構成されていることを特徴とする請求項１に記載の堆積物除去装置。
【請求項３】
前記制御部は、前記傾斜部の下降速度が前記傾斜部の上昇速度よりも高速になるように前記昇降部を制御することを特徴とする請求項１に記載の堆積物除去装置。
【請求項４】
前記昇降部は、前記傾斜部を、前記処理水の流れ方向に交差する幅方向の両側で支持する支持部を有し、
前記支持部は、少なくとも一方向に遊びを有して前記傾斜部を支持することを特徴とする請求項１に記載の堆積物除去装置。
【請求項５】
前記支持部は、前記傾斜部を下方から支持する支持底部と、前記傾斜部の両側に空隙を介して対向する移動規制部と、を有することを特徴とする請求項４に記載の堆積物除去装置。
【請求項６】
前記支持部は、前記支持底部の上方が開放されていることを特徴とする請求項５に記載の堆積物除去装置。
【請求項７】
前記昇降部は、エアシリンダと、該エアシリンダに設けられたスピードコントローラと、を有し、
前記支持部は、前記エアシリンダのピストンロッドに連結されていることを特徴とする請求項４に記載の堆積物除去装置。
【請求項８】
処理水に含まれる汚濁物質が堆積する傾斜部と、該傾斜部を昇降させる昇降部と、該昇降部による前記傾斜部の昇降を制御する制御部と、を備えることを特徴とする沈降装置。
【請求項９】
前記傾斜部は、複数の傾斜板と、該複数の傾斜板を支持するフレームと、該フレームに前記傾斜板を連結する連結部と、を有し、
前記連結部は、前記傾斜板に固定された第１部分と、前記フレームに固定された第２部分と、を有し、
前記第１部分と前記第２部分とは、遊びを有して係合していること特徴とする請求項８に記載の沈降装置。
【発明の詳細な説明】
【技術分野】
【０００１】
本開示は、堆積物除去装置および沈降装置に関する。
【背景技術】
【０００２】
従来から、槽内上部において固液分離を行い、清澄水を側方に排出する様にし、下部に固体粒子を沈殿させて下方に排出する様にしたコンパクトシックナーに関する発明が知られている（下記特許文献１を参照）。
【０００３】
上記従来のコンパクトシックナーは、槽内上部に固液分離装置を、下部に固体粒子沈殿装置を設けている。この従来のシックナーは、流入パイプより排出パイプに向う液流に沿って平行に固液分離用傾斜板を設け、その傾斜板下部にその設置方向に交叉して固体粒子濃縮用仕切板を設けるとともに、前記傾斜板に振動を与える装置を配設したことを特徴としている（同文献、特許請求の範囲等を参照）。
【０００４】
この従来の振動式シックナーによれば、槽内のスラリー滞留時間を従来平均の１２０分から１０分に短縮することができる。また、槽内に設けた傾斜板により被処理液の固液分離作用を行わせ、その下部の仕切板により固体粒子の濃縮作用を行わせ、コンパクトなシックナーとすることができる。また、傾斜板に振動を与えるようにしたために、傾斜板面に沈降固体粒子が付着滞留することがないようにして固液分離機能、固体粒子の付着を防止することができる（同文献、第３頁、右上欄第１３行−左下欄第５行等を参照）。
【先行技術文献】
【特許文献】
【０００５】
【特許文献１】特開昭４９−８９２５３号公報
【発明の概要】
【発明が解決しようとする課題】
【０００６】
たとえば上水、下水、その他の廃水などの処理水を浄化する沈澱池では、傾斜板や傾斜管などの傾斜部を備える沈降装置が用いられる。沈降装置の傾斜部の表面には、固体粒子を含む処理水中の汚濁物質やフロックなどが沈降して堆積する。しかし、前記従来の振動式シックナーのように、傾斜板に振動を与えるだけでは、傾斜板に堆積した堆積物を十分に除去することができないおそれがある。
【０００７】
本開示は、傾斜部に堆積した堆積物を従来よりも効果的に除去することが可能な堆積物除去装置および沈降装置を提供する。
【課題を解決するための手段】
【０００８】
本開示の一態様は、処理水の汚濁物質が堆積する傾斜部を昇降させる昇降部と、該昇降部による前記傾斜部の昇降を制御する制御部と、を備えることを特徴とする堆積物除去装置である。
【０００９】
本開示の別の一態様は、処理水に含まれる汚濁物質が堆積する傾斜部と、該傾斜部を昇降させる昇降部と、該昇降部による前記傾斜部の昇降を制御する制御部と、を備えることを特徴とする沈降装置である。
【発明の効果】
【００１０】
本開示の上記態様によれば、傾斜部に堆積した堆積物を従来よりも効果的に除去することが可能な堆積物除去装置および沈降装置を提供することができる。
【図面の簡単な説明】
【００１１】
【図１】本開示の実施形態に係る沈降装置を適用した沈澱池の一例を示す断面図。
【図２】図１の実施形態に係る沈降装置および堆積物除去装置の拡大断面図。
【図３】図２の堆積物除去装置を構成する昇降部の拡大図。
【図４】図３の昇降部の空気圧回路図。
【図５】図３の昇降部の変形例を示す拡大図。
【図６】図２の沈降装置を構成する傾斜部の構成例を示す斜視図。
【図７】図６の傾斜部の変形例を示す斜視図。
【図８】本開示の沈降装置を適用可能な二階層沈澱池の一例を示す断面図。
【発明を実施するための形態】
【００１２】
以下、図面を参照して本開示に係る沈降装置および堆積物除去装置の実施形態を説明する。図１は、本開示の実施形態に係る沈降装置６および堆積物除去装置７を適用した沈澱池１の一例を示す断面図である。図１には、沈澱池１の長さ方向に平行なＸ軸と、沈澱池１の幅方向に平行なＹ軸と、沈澱池１の深さ方向（鉛直方向）に平行なＺ軸の３軸からなる直交座標系が示されている。以下では、この直交座標系を用いて、沈澱池１、沈降装置６、および堆積物除去装置７の各部を説明する場合がある。
【００１３】
本実施形態の沈澱池１は、たとえば、上水、下水、その他の廃水などの処理水を浄化する設備である。より具体的には、本実施形態の沈澱池１は、たとえば、下水処理施設の最終沈澱池であり、沈砂池、最初沈澱池、およびエアレーションタンクを通過した処理水が流入する。
【００１４】
沈澱池１は、たとえば、処理水流入部２と、ピット３と、掻寄機４と、阻流壁５と、沈降装置６と、堆積物除去装置７と、越流トラフ８と、処理水流出部９と、を備えている。処理水流入部２は、沈澱池１における処理水の最上流部であり、沈澱池１の上流側の設備で処理された処理水を沈澱池１に流入させる。ピット３は、たとえば、処理水の上流側（Ｘ軸−側）が下流側（Ｘ軸＋側）よりも低くなるように傾斜した沈澱池１の底部の最上流部に、凹状に設けられている。図示を省略するが、ピット３の底部には、たとえば、ポンプに接続された排出口が設けられている。
【００１５】
掻寄機４は、たとえば、一対のチェーン４１と、複数のスプロケットホイール４２と、複数のフライト４３と、駆動装置４４と、を備えている。一対のチェーン４１は、沈澱池１の長さ方向（Ｘ軸方向）、すなわち沈澱池１の上流部における処理水の流れ方向に、おおむね平行に配置されている。また、一対のチェーン４１は、沈澱池１の幅方向（Ｙ軸方向）、すなわち処理水の流れ方向に交差する水平方向に、間隔をあけて配置されている。
【００１６】
スプロケットホイール４２は、たとえば、沈澱池１の幅方向に延びるシャフトの両端部に設けられている。スプロケットホイール４２は、たとえば、沈澱池１の底部において、ピット３の下流側（Ｘ軸＋側）と沈澱池１の最下流部に間隔をあけて配置されている。また、スプロケットホイール４２は、沈澱池１を流れる処理水の水面近傍において、ピット３の下流側と阻流壁５の上流側（Ｘ軸−側）に間隔をあけて配置されている。図１に示す例では、沈澱池１の幅方向（Ｙ軸方向）の一方側に配置された四つのスプロケットホイール４２に一方のチェーン４１が架け渡され、沈澱池１の幅方向の他方側に配置された四つのスプロケットホイール４２に他方のチェーン４１が架け渡されている。
【００１７】
フライト４３は、たとえば、沈澱池１の幅方向（Ｙ軸方向）に延びる細長い板状の部材である。沈澱池１の幅方向において、フライト４３の一端が一方のチェーン４１に取り付けられ、フライト４３の他端が他方のチェーン４１に取り付けられている。複数のフライト４３は、たとえば、無端状のチェーン４１の全周にわたって等間隔に設けられているが、図１では、便宜上、一部のフライト４３の図示を省略している。
【００１８】
駆動装置４４は、たとえば、モータ、ギア、チェーンなどによって構成され、スプロケットホイール４２を回転させて、一対のチェーン４１を循環駆動させる。図１に示す例において、駆動装置４４は、一対のチェーン４１が右回りに回転するように、スプロケットホイール４２を駆動する。駆動装置４４の大部分は、処理水の水面よりも上方の水上部に配置されている。
【００１９】
阻流壁５は、沈澱池１の長さ方向（Ｘ軸方向）において、沈澱池１の上流部における処理水の流れ方向の下流側（Ｘ軸＋側）に配置されている。阻流壁５は、たとえば、沈澱池１の幅方向（Ｙ軸方向）および深さ方向（Ｚ軸方向）におおむね平行に設けられ、沈澱池１の処理水の流れを遮るように設けられている。阻流壁５の下端は、沈澱池１の底部よりも上方に配置され、処理水の水面から所定の深さまで、処理水流入部２から処理水流出部９へ向かう処理水の流れを遮るように設けられている。
【００２０】
沈降装置６は、処理水に含まれる汚濁物質が堆積する傾斜部６１と、その傾斜部６１を昇降させる昇降部６２と、その昇降部６２による傾斜部６１の昇降を制御する制御部６３（図４参照）と、を備える。沈降装置６の各部の詳細は後述する。また、図１に示す例では、昇降部６２と制御部６３とによって、傾斜部６１に堆積した堆積物を除去する堆積物除去装置７が構成されている。換言すると、本実施形態の沈降装置６は、傾斜部６１と、堆積物除去装置７とを備えている。
【００２１】
越流トラフ８は、たとえば、沈降装置６を通過することで固体粒子を含む汚濁物質が沈降して除去された処理水を越流させる複数のＶ字状のノッチを備えている。越流トラフ８を越流した処理水は、たとえば処理水流出部９を介して、沈澱池１の下流側の設備へ流出する。
【００２２】
以上のような構成を備えた沈澱池１では、処理水が次のように処理される。上流側の設備から、沈澱池１の処理水流入部２に流入した処理水は、沈澱池１における処理水の最上流部である処理水流入部２から、沈澱池１の長さ方向に下流側（Ｘ軸＋側）へ向けて流れる。この過程で、処理水中の固体粒子を含む汚濁物質やフロックが沈降して、沈澱池１の底部に堆積する。沈澱池１の底部に堆積した堆積物、たとえば汚泥は、掻寄機４によって掻き取られてピット３に集められる。
【００２３】
より具体的には、掻寄機４は、駆動装置４４を駆動させてスプロケットホイール４２を回転させることで、一対のチェーン４１を循環駆動させる。これにより、沈澱池１の幅方向（Ｙ軸方向）に延びてその両端部が一対のチェーン４１に取り付けられた複数の細長い板状のフライト４３が、沈澱池１の底部に沿って沈澱池１の下流側（Ｘ軸＋側）から上流側（Ｘ軸−側）へ移動する。これにより、沈澱池１の底部に堆積した堆積物が、ピット３に掻き寄せられる。ピット３に集められた堆積物は、たとえば、ピット３の排出口からポンプによって吸い出される。
【００２４】
沈澱池１の底部に沿って流れて阻流壁５の下方を通過した処理水は、沈降装置６の下端から上方へ向けて流れる。また、沈澱池１において、阻流壁５の下端よりも上方を流れる処理水は、阻流壁５によって堰き止められ、阻流壁５の下端をくぐるように沈澱池１の底部へ向けて流れ、沈降装置６の下端から上方へ向けて流れる。
【００２５】
沈降装置６は、前述のように、傾斜部６１を備えている。傾斜部６１は、たとえば、複数の傾斜板、または、傾斜管を備えている。すなわち、沈降装置６は、たとえば、複数の傾斜板を備えた傾斜板沈降装置、または、傾斜管を備えた傾斜管沈降装置である。傾斜管は、たとえば、複数の傾斜した流路を備えている。
【００２６】
沈降装置６の下端から上方へ向けて流入した処理水は、傾斜部６１の斜面に沿って上方へ流れる。その過程で、処理水中の固体粒子を含む汚濁物質やフロックが沈降して、傾斜部６１の斜面上に堆積する。傾斜部６１を通過することで汚濁物質やフロックが沈降して除去された処理水は、越流トラフ８を越えて、処理水流出部９から沈澱池１の下流側の設備へ流出する。
【００２７】
沈降装置６が傾斜部６１を有することで、より広い面積で処理水中の汚濁物質やフロックの沈殿物を沈降および堆積させて除去することができる。すなわち、処理水中の固体粒子を含む汚濁物質を沈降させて除去する距離を短縮することができ、汚濁物質やフロックの沈殿効率および分離効率を向上させることができる。また、傾斜部６１の斜面上の堆積物の一部は、傾斜部６１の斜面を滑り落ちて沈澱池１の底部へ落下する。これにより、傾斜部６１に堆積した堆積物を除去する頻度を低減することができる。しかしながら、傾斜部６１の斜面を滑り落ちることなく、傾斜部６１の斜面に付着して堆積した堆積物は、従来の技術では容易に除去することができないという課題がある。
【００２８】
具体的には、前記した従来の振動式シックナーのように、傾斜部６１に振動を与えても、傾斜部６１に堆積した固体粒子を含む堆積物は、十分に除去することができない。より詳細には、たとえば、ボールバイブレータを用いて、傾斜部６１を、１［ｍｍ］以下の振幅で、２６４［Ｈｚ］から３８３［Ｈｚ］までの周波数で振動させても、傾斜部６１の斜面に堆積した堆積物は十分に除去されない。また、たとえばタービンバイブレータを用いて、傾斜部６１を、１［ｍｍ］以下の振幅で、１５３［Ｈｚ］から４１４［Ｈｚ］までの周波数で振動させても、傾斜部６１の斜面に堆積した堆積物は十分に除去されない。さらに、たとえばピストンバイブレータを用いて、傾斜部６１を、１［ｍｍ］以下の振幅で、７９［Ｈｚ］から１１７［Ｈｚ］までの周波数で振動させても、傾斜部６１の斜面に堆積した堆積物は十分に除去されない。
【００２９】
たとえば、沈澱池１に流入する処理水が下水である場合、傾斜部６１の斜面に付着する主な堆積物は汚泥である。傾斜部６１に付着した汚泥は、たとえば二日間以上の長時間にわたって放置されると、生物反応にともなってガスを発生させる。このガスにより、傾斜部６１に付着した堆積物が処理水の表面に浮上して、処理水の水質を悪化させるおそれがある。
【００３０】
傾斜部６１に付着した堆積物を除去する技術として、空気洗浄装置を導入することが考えられる。空気洗浄装置は、たとえば、ブロワを作動させて散気管から空気泡を噴出することで、傾斜部６１を撹拌振動させ、傾斜部６１に付着した堆積物を剥離させる。しかしながら、このような空気洗浄装置は、散気管から多量の空気泡を噴出させるために、比較的に大きな動力を必要とする。さらに、傾斜部６１から剥離した堆積物が空気泡によって撹拌されて処理水中に分散したり水面に浮上したりするため、傾斜部６１の洗浄中は沈澱池１に対する処理水の流入を停止させる必要がある。
【００３１】
以上のような従来技術の課題を解決することが可能な、本開示の一実施形態に係る沈降装置６および堆積物除去装置７の各部の構成について、図２から図７を参照して詳細に説明する。
【００３２】
図２は、図１に示す沈降装置６および堆積物除去装置７の模式的な拡大断面図である。図３は、図２に示す昇降部６２の拡大図である。図４は、昇降部６２の構成の一例を示す空気圧回路図である。前述のように、本実施形態の堆積物除去装置７は、処理水の汚濁物質が堆積する傾斜部６１を昇降させる昇降部６２と、その昇降部６２による傾斜部６１の昇降を制御する制御部６３と、を備えている。
【００３３】
また、本実施形態の沈降装置６は、前述のように、傾斜部６１と、堆積物除去装置７とを備えている。すなわち、本実施形態の沈降装置６は、処理水に含まれる汚濁物質が堆積する傾斜部６１と、その傾斜部６１を昇降させる昇降部６２と、その昇降部６２による傾斜部６１の昇降を制御する制御部６３と、を備えている。
【００３４】
傾斜部６１は、前述のように、たとえば、複数の傾斜板６１ａ、または、傾斜管を備えている。本実施形態の沈降装置６において、傾斜部６１は、複数の傾斜板６１ａを備えている。すなわち、本実施形態の沈降装置６は、傾斜板沈降装置である。なお、傾斜部６１が傾斜管を備える場合、傾斜管は、たとえば複数の傾斜した管状の流路を有している。この場合、沈降装置６は、傾斜管沈殿装置である。
【００３５】
特に限定はされないが、傾斜板６１ａの寸法の一例は、次のとおりである。沈澱池１の幅方向（Ｙ軸方向）に沿う傾斜板６１ａの長手方向の寸法は、たとえば、１［ｍ］から２［ｍ］程度である。沈澱池１の深さ方向（Ｚ軸方向）に対して傾斜した傾斜板６１ａの短手方向の寸法は、たとえば、０．３［ｍ］から１［ｍ］程度である。傾斜板６１ａの板厚は、たとえば、１［ｍｍ］から３［ｍｍ］程度である。
【００３６】
傾斜部６１は、たとえば、複数の傾斜板６１ａに加えて、これら複数の傾斜板６１ａを支持するフレーム６１ｂと、そのフレーム６１ｂに傾斜板６１ａを連結する連結部６１ｃと、を有している。フレーム６１ｂは、たとえば、沈澱池１の長さ方向（Ｘ軸方向）に沿って延びる横枠部６１ｂ１と、沈澱池１の深さ方向（Ｚ軸方向）に沿って延びる縦枠部６１ｂ２とを備えている。傾斜板６１ａおよびフレーム６１ｂの材質は特に限定されず、たとえば、耐食性を有する金属や樹脂によって構成することができる。なお、連結部６１ｃの詳細については後述する。
【００３７】
フレーム６１ｂの横枠部６１ｂ１は、たとえば、沈澱池１の幅方向（Ｙ軸方向）において、複数の傾斜板６１ａの一端と他端にそれぞれ二本が、上下に離隔して配置されている。フレーム６１ｂの横枠部６１ｂ１は、たとえば、沈澱池１の長さ方向（Ｘ軸方向）におおむね平行に配置されている。フレーム６１ｂの横枠部６１ｂ１は、たとえば、沈澱池１の幅方向における傾斜板６１ａの端部、すなわち傾斜板６１ａの長手方向の一端と他端に、連結部６１ｃを介して連結され、複数の傾斜板６１ａを支持している。
【００３８】
フレーム６１ｂの縦枠部６１ｂ２は、たとえば、沈澱池１の幅方向（Ｙ軸方向）において、複数の傾斜板６１ａの一端と他端にそれぞれ二本が、沈澱池１の長さ方向の上流側（Ｘ軸−側）と下流側（Ｘ軸＋側）に離隔して配置されている。フレーム６１ｂの縦枠部６１ｂ２は、たとえば、沈澱池１の深さ方向（Ｚ軸方向）におおむね平行に配置され、上端部が処理水の水面よりも上方の水上部まで延びている。フレーム６１ｂの縦枠部６１ｂ２は、たとえば、沈澱池１の深さ方向に離隔して配置された二本の横枠部６１ｂ１に連結され、横枠部６１ｂ１および連結部６１ｃを介して複数の傾斜板６１ａを支持している。
【００３９】
また、フレーム６１ｂの縦枠部６１ｂ２は、たとえば、上端部に軸部６１ｂ３を有している。軸部６１ｂ３は、たとえば、沈澱池１の幅方向（Ｙ軸方向）の外側へ延び、沈澱池１の外縁部によって下方から支持されている。なお、軸部６１ｂ３は、たとえば、沈澱池１の幅方向の内側へ延びていてもよい。この場合、沈澱池１の幅方向における外縁部の内側に、沈澱池１の長さ方向（Ｘ軸方向）に延びるビームを懸け渡し、そのビームによって軸部６１ｂ３を下方から支持してもよい。
【００４０】
昇降部６２は、前述のように、処理水の汚濁物質が堆積する傾斜部６１を昇降させるように構成されている。昇降部６２は、沈澱池１において処理水の水面よりも上方の水上部に設けられている。より具体的には、昇降部６２は、たとえば、傾斜部６１のフレーム６１ｂに設けられた軸部６１ｂ３を下方から支持する沈澱池１の外縁部に支持されて固定されている。より詳細には、昇降部６２は、たとえば、固定ブラケット１１を介して、沈澱池１の外縁部に支持されて固定されている。
【００４１】
昇降部６２は、たとえば、傾斜部６１を、処理水の流れ方向（Ｘ軸方向）に交差する幅方向（Ｙ軸方向）の両側で支持する支持部６４を有している。昇降部６２は、たとえば、支持部６４を昇降させることで、支持部６４に支持された傾斜部６１を昇降させる。より具体的には、支持部６４は、たとえば、傾斜部６１のフレーム６１ｂに設けられた軸部６１ｂ３を下方から支持して昇降するように設けられている。
【００４２】
また、支持部６４は、たとえば、少なくとも一方向に遊びを有して傾斜部６１を支持するように構成されている。より具体的には、支持部６４は、たとえば、傾斜部６１を下方から支持する支持底部６４ｂと、傾斜部６１の両側に空隙を介して対向する移動規制部６４ａと、を有している。また、支持部６４は、支持底部６４ｂの上方が開放されている。より詳細には、図３に示す例において、支持部６４は、たとえば、上部が開放されたＵ字型、Ｊ字型、または円弧状の断面形状を有するフック状の形状に成形されている。なお、支持部６４は、たとえば円環状の形状のように上部が閉じた形状であってもよく、複数の部品で構成されていてもよい。
【００４３】
支持部６４は、たとえば、フック状の形状の底部の支持底部６４ｂによって、傾斜部６１のフレーム６１ｂに設けられた軸部６１ｂ３を支持する。支持部６４の移動規制部６４ａは、支持底部６４ｂの上に傾斜部６１のフレーム６１ｂの軸部６１ｂ３が支持された状態で、軸部６１ｂ３に対して、沈澱池１の長さ方向（Ｘ軸方向）の両側に間隙を介して対向するように設けられている。すなわち、図３に示す例において、支持部６４は、たとえば、沈澱池１の上流方向（Ｘ軸−方向）と、沈澱池１の下流方向（Ｘ軸＋方向）と、上方向の少なくとも三方向以上に遊びを有して傾斜部６１を支持するように構成されている。
【００４４】
昇降部６２は、たとえば、エアシリンダ６５と、エアシリンダ６５に設けられたスピードコントローラ６６と、を有している。また、支持部６４は、たとえば、エアシリンダ６５のピストンロッド６５ａに連結されている。昇降部６２は、エアシリンダ６５のピストンロッド６５ａを伸縮させることで、ピストンロッド６５ａに連結された支持部６４を昇降させる。なお、昇降部６２は、エアシリンダ６５を備える構成に限定されず、たとえばギア、モータ、ボールねじ、チェーン、ワイヤロープ、リンク機構等を使用した昇降機構によって支持部６４を昇降させるようにしてもよい。
【００４５】
図４に示すように、昇降部６２は、たとえば、エアシリンダ６５と、スピードコントローラ６６と、空気供給部６７と、フィルタ／レギュレータ６８と、電磁弁６９と、を備えている。昇降部６２は、たとえば、沈澱池１の幅方向（Ｙ軸方向）の一方側と他方側に、それぞれ二つずつ、合計で四つのエアシリンダ６５を備えている。
【００４６】
四つのエアシリンダ６５は、すべて図４に示すエアシリンダ６５と同様の構成を備える。そのため、図４では、二つのエアシリンダ６５とそれに付随する構成のみを図示し、他の二つのエアシリンダ６５とそれに付随する構成の図示を省略する。なお、昇降部６２が備えるエアシリンダ６５の数は、特に限定されない。
【００４７】
空気供給部６７は、たとえば、空気を圧縮する圧縮機と、圧縮された空気を貯留するタンクとを備え、エアー用ゴムホースを介してフィルタ／レギュレータ６８に接続されている。空気供給部６７は、制御部６３からの制御信号に基づいて、圧縮された空気をフィルタ／レギュレータ６８に供給する。フィルタ／レギュレータ６８は、たとえば、フィルタが内蔵された減圧弁である。フィルタ／レギュレータ６８は、各エアシリンダ６５に対して設けられた電磁弁６９にエアチューブを介して接続され、所定の圧力に減圧された清浄な空気を電磁弁６９に供給する。
【００４８】
電磁弁６９は、たとえば、４方向、４ポート、３位置の電磁弁である。電磁弁６９は、たとえば、制御部６３の制御信号に基づいて、図４に示す全てのポートが閉じた状態と、右側が励磁された状態と、左側が励磁された状態とを切り替える。
【００４９】
電磁弁６９は、右側が励磁されると、右側の矢印が交差した状態になり、１番と２番のポートが接続され、４番と３番のポートが接続される。この状態で、圧縮された空気がフィルタ／レギュレータ６８を介して電磁弁６９に供給されると、図４における下方側のスピードコントローラ６６の逆止弁が開き、図４におけるエアシリンダ６５の下方側に圧縮された空気が供給される。
【００５０】
これにより、エアシリンダ６５のピストンロッド６５ａが図４における上方側に移動して収縮し、支持部６４が上昇する。また、ピストンロッド６５ａの収縮にともなって、図４におけるエアシリンダ６５の上方側から空気が排出され、図４における上方側のスピードコントローラ６６へ流入する。すると、図４における上方側のスピードコントローラ６６の逆止弁が閉じ、流量制御弁を通して空気が排出される。
【００５１】
また、電磁弁６９は、左側が励磁されると、左側の矢印が平行な状態になり、１番と４番のポートが接続され、２番と３番のポートが接続される。この状態で、圧縮された空気がフィルタ／レギュレータ６８を介して電磁弁６９に供給されると、図４における上方側のスピードコントローラ６６の逆止弁が開き、図４におけるエアシリンダ６５の上方側に圧縮された空気が供給される。
【００５２】
これにより、エアシリンダ６５のピストンロッド６５ａが図４における下方側に移動して伸長し、支持部６４が下降する。また、ピストンロッド６５ａの伸長にともなって、図４におけるエアシリンダ６５の下方側から空気が排出され、図４における下方側のスピードコントローラ６６へ流入する。すると、図４における下方側のスピードコントローラ６６の逆止弁が閉じ、流量制御弁を通して空気が排出される。
【００５３】
すなわち、本実施形態において、スピードコントローラ６６は、エアシリンダ６５のメータアウト制御を行うように構成されている。また、スピードコントローラ６６は、たとえば、図４における下方側のスピードコントローラ６６の流量制御弁を通過する空気の流量が、図４における上方側のスピードコントローラ６６の流量制御弁を通過する空気の流量よりも、大きくなるように設定されている。
【００５４】
換言すると、スピードコントローラ６６は、たとえば、ピストンロッド６５ａの伸長時にエアシリンダ６５から排出された空気を通過させる流量制御弁の空気流量が、ピストンロッド６５ａの収縮時にエアシリンダ６５から排出された空気を通過させる流量制御弁の空気流量よりも多くされている。これにより、図３に示す例において、ピストンロッド６５ａに連結されて傾斜部６１を支持する支持部６４の下降速度は、支持部６４の上昇速度よりも高速になる。
【００５５】
このような構成により、昇降部６２は、たとえば、傾斜部６１の下降速度が傾斜部６１の上昇速度よりも高速になるように構成されている。なお、傾斜部６１の下降速度が傾斜部６１の上昇速度よりも高速になる昇降部６２の構成は、図３に示す構成に限定されない。
【００５６】
図５は、図３の昇降部６２の変形例を示す拡大断面図である。図３に示す例において、昇降部６２を構成するエアシリンダ６５は鉛直方向に沿って配置され、ピストンロッド６５ａの伸縮方向は鉛直方向に沿う方向であった。これに対し、図５に示す変形例では、エアシリンダ６５は水平方向に沿って配置され、ピストンロッド６５ａの伸縮方向は水平方向に沿う方向である。また、この変形例において、昇降部６２は、レバー機構７０を備えている。
【００５７】
図５に示す変形例において、エアシリンダ６５は、たとえば、固定ブラケット１２および支軸１３を介して、沈澱池１の外縁部に支持されて固定されている。レバー機構７０は、たとえば、第１アーム７１と、第２アーム７２と、支軸７３と、連結軸７４とを備えている。
【００５８】
第１アーム７１は、たとえば、鉛直方向に沿って延びている。第２アーム７２は、たとえば、第１アーム７１の下端に連結されて水平方向に沿って延びている。第１アーム７１の鉛直方向に沿う長さは、第２アーム７２の水平方向に沿う長さよりも長い。第１アーム７１と第２アーム７２は、おおむねＬ字状の形状を成している。支持部６４は、第２アーム７２の上に固定されている。
【００５９】
支軸７３は、たとえば、沈澱池１の幅方向（Ｙ軸方向）に沿って延び、第１アーム７１と第２アーム７２との連結部に取り付けられている。支軸７３は、たとえば、第１アーム７１および第２アーム７２を、支軸７３を中心に回動自在に支持している。連結軸７４は、たとえば、第１アーム７１の上部に取り付けられ、第１アーム７１とピストンロッド６５ａとを連結している。
【００６０】
このような構成により、図５に示す変形例に係る昇降部６２は、エアシリンダ６５のピストンロッド６５ａが収縮すると、支軸７３を中心に第１アーム７１と第２アーム７２が回動して、支持部６４が上昇する。また、昇降部６２は、エアシリンダ６５のピストンロッド６５ａが伸長すると、支軸７３を中心に第１アーム７１と第２アーム７２が回動して、支持部６４が上昇した位置から元の位置へ下降する。
【００６１】
図５に示す変形例に係る昇降部６２においても、図３に示す昇降部６２と同様に、支持部６４の下降速度が、支持部６４の上昇速度よりも高速になるように構成することができる。すなわち、スピードコントローラ６６は、たとえば、ピストンロッド６５ａの伸長時にエアシリンダ６５から排出された空気を通過させる流量制御弁の空気流量が、ピストンロッド６５ａの収縮時にエアシリンダ６５から排出された空気を通過させる流量制御弁の空気流量よりも多くされている。
【００６２】
なお、昇降部６２がエアシリンダ６５を有しない場合には、たとえば、カム機構などを用いることで、支持部６４の下降速度が支持部６４の上昇速度よりも高速になるように構成することができる。また、たとえば、昇降部６２がサーボモータを備える場合には、制御部６３が昇降部６２を制御して、傾斜部６１の下降速度を傾斜部６１の上昇速度よりも高速にするにように、制御部６３を構成してもよい。
【００６３】
また、昇降部６２がエアシリンダ６５を備える場合でも、たとえば、昇降部６２を構成するスピードコントローラ６６の流量制御弁を自動制御することによって、傾斜部６１の下降速度を傾斜部６１の上昇速度よりも高速にするにように、制御部６３を構成してもよい。このように、制御部６３は、たとえば、傾斜部６１の下降速度が傾斜部６１の上昇速度よりも高速になるように、昇降部６２を制御することができる。
【００６４】
ここで、傾斜部６１の傾斜板６１ａとフレーム６１ｂとを連結する連結部６１ｃの構成例について詳細に説明する。図６は、図２の沈降装置６を構成する傾斜部６１の構成例を示す斜視図である。前述のように、傾斜部６１は、たとえば、複数の傾斜板６１ａと、これら複数の傾斜板６１ａを支持するフレーム６１ｂと、そのフレーム６１ｂに傾斜板６１ａを連結する連結部６１ｃと、を有している。フレーム６１ｂは、たとえば、沈澱池１の長さ方向（Ｘ軸方向）に沿って延びる横枠部６１ｂ１と、沈澱池１の深さ方向（Ｚ軸方向）に沿って延びる縦枠部６１ｂ２とを備えている。
【００６５】
連結部６１ｃは、たとえば、傾斜板６１ａに固定された第１部分６１ｃ１と、フレーム６１ｂに固定された第２部分６１ｃ２と、を有している。これら第１部分６１ｃ１と第２部分６１ｃ２とは、遊びを有して係合している。より具体的には、第１部分６１ｃ１は、たとえば、断面形状がＵ字型になるように曲折された板状の部材であり、沈澱池１の幅方向（Ｘ軸方向）の両端と、下端が開放されている。第１部分６１ｃ１は、たとえば、沈澱池１の幅方向（Ｘ軸方向）における傾斜板６１ａの一方の端部と他方の端部に、それぞれ、上下に間隔をあけて二つずつ固定されている。
【００６６】
第２部分６１ｃ２は、たとえば、沈澱池１の幅方向に延びる軸状または棒状の部材であり、先端に抜け止めの拡径部が形成され、先端と反対側の基端がフレーム６１ｂの横枠部６１ｂ１に固定されている。第２部分６１ｃ２は、横枠部６１ｂ１において、傾斜板６１ａに固定された第１部分６１ｃ１に対応する位置に設けられている。
【００６７】
傾斜板６１ａをフレーム６１ｂに連結するには、傾斜板６１ａに固定された連結部６１ｃの第１部分６１ｃ１を、フレーム６１ｂに固定された連結部６１ｃの第２部分６１ｃ２に引っ掛ける。これにより、第１部分６１ｃ１と第２部分６１ｃ２とが、第２部分６１ｃ２の下方側に遊びを有した状態で係合する。また、たとえば、第２部分６１ｃ２を係合させる第１部分６１ｃ１の溝幅を、第２部分６１ｃ２の直径よりも大きくすることで、第１部分６１ｃ１と第２部分６１ｃ２とが、沈澱池１の長さ方向（Ｘ軸方向）に遊びを有した状態で係合する。
【００６８】
なお、傾斜板６１ａとフレーム６１ｂとを遊びを持たせて連結する構成は、図６に示す構成に限定されない。図７は、図６に示す傾斜板６１ａとフレーム６１ｂとを連結する連結部６１ｃの変形例を示す斜視図である。図７に示す例において、連結部６１ｃは、傾斜板６１ａに固定された部分と、フレーム６１ｂの棒状の横枠部６１ｂ１を挿通させる貫通孔とを有している。この例において、横枠部６１ｂ１の直径よりも連結部６１ｃの貫通孔の直径を大きくすることで、傾斜板６１ａとフレーム６１ｂとを遊びを持たせて連結することが可能である。
【００６９】
また、傾斜部板６１をフレーム６１ｂに対して強固に連結する場合は、たとえば、横枠部６１ｂ１と縦枠部６１ｂ２との連結部に遊びを持たせてもよい。具体的には、横枠部６１ｂ１と縦枠部６１ｂ２との連結部を、長孔とピンによって構成し、長孔とピンとの間に少なくとも一方向の遊びまたは空隙を形成する。さらにフレームを分割可能な複数の部品によって構成し、各部品の連結部を長孔とピンによって構成し、長孔とピンとの間に少なくとも一方向の遊びまたは空隙を形成してもよい。
【００７０】
以下、本実施形態の沈降装置６および堆積物除去装置７の作用について説明する。
【００７１】
前述のように、本実施形態の沈降装置６は、処理水に含まれる汚濁物質が堆積する傾斜部６１と、その傾斜部６１を昇降させる昇降部６２と、その昇降部６２による傾斜部６１の昇降を制御する制御部６３と、を備えている。また、本実施形態の堆積物除去装置７は、処理水の汚濁物質が堆積する傾斜部６１を昇降させる昇降部６２と、その昇降部６２による傾斜部６１の昇降を制御する制御部６３と、を備えている。
【００７２】
このような構成により、制御部６３によって昇降部６２を制御することで、昇降部６２によって傾斜部６１を上昇させることができる。また、制御部６３によって昇降部６２を制御することで、昇降部６２によって傾斜部６１を下降させることができる。すなわち、制御部６３は、傾斜部６１に堆積した堆積物を除去するときに、傾斜部６１を上昇させ、次いで、下降させるように、昇降部６２を制御することができる。また、制御部６３は、あらかじめ傾斜部６１を上昇させておき、傾斜部６１に堆積した堆積物を除去するときに、傾斜部６１を下降させるように、昇降部６２を制御することができる。
【００７３】
なお、傾斜部６１に堆積した堆積物をより効率よく除去する観点から、傾斜部６１を上昇させてから下降させるか、または、傾斜部６１を下降させてから上昇させる、往復の昇降動作を行うように、制御部６３によって昇降部６２を制御することが好ましい。なお、傾斜部６１を下降させてから上昇させる往復の昇降動作よりも、傾斜部６１を上昇させてから下降させる往復の昇降動作の方が、傾斜部６１に堆積した堆積物を効果的に除去することができる。
【００７４】
このように、本実施形態の沈降装置６および堆積物除去装置７は、制御部６３によって昇降部６２を制御して、昇降部６２によって傾斜部６１を昇降させることができる。これにより、従来のように傾斜部６１を比較的に高い周波数で振動させる場合と比較して、傾斜部６１に堆積した堆積物が、処理水から大きな流体抵抗を受けて効率よく除去される。なお、昇降部６２による傾斜部６１の連続的かつ周期的な昇降動作を、仮に振動と捉えた場合、その周波数は、たとえば１［Ｈｚ］以下であり、その振幅は、たとえば１［ｍｍ］以上である。
【００７５】
また、傾斜部６１に堆積した堆積物をより確実に除去する観点から、複数回にわたって傾斜部６１の昇降動作を行うように、制御部６３によって昇降部６２を制御することが好ましい。なお、昇降部６２による傾斜部６１の昇降動作は、一回でもよく、連続的に繰り返し行ってもよく、上昇と下降の間、または、昇降と昇降との間に、昇降動作を停止する期間を設けて間欠的に昇降させてもよい。前記したような傾斜部６１の種々の昇降動作を行うためのプログラムを備える制御部６３によって昇降部６２を制御することで、前記したような傾斜部６１の種々の昇降動作を行うことができる
【００７６】
また、傾斜部６１の昇降動作の高さは、たとえば、１０［ｍｍ］以上、３０［ｍｍ］以下であることが好ましい。これにより、傾斜部６１の昇降時に堆積物に対して処理水からより大きな流体抵抗を作用させ、堆積物の除去効果を向上させるとともに、昇降動作に必要な昇降部６２の動力を低減することができる。また、傾斜部６１を上昇させた後、傾斜部６１の下降を開始するまでの時間を１０［秒］以下にするように、制御部６３によって昇降部６２を制御することで、傾斜部６１に堆積した堆積物の除去効果を、より向上させることができる。
【００７７】
また、昇降部６２は、傾斜部６１の下降動作の終了時に、傾斜部６１のフレーム６１ｂに設けられた軸部６１ｂ３を、沈澱池１の周縁部に衝突させるように構成してもよい。これにより、昇降部６２による傾斜部６１の下降動作の終了時に、沈澱池１の周縁部から傾斜部６１に作用する衝撃力によって傾斜部６１を振動させ、傾斜部６１に堆積した固体粒子を含む堆積物の除去効果を向上させることができる。この場合、傾斜部６１は、複数の傾斜板６１ａによって構成されていることが好ましい。これにより、傾斜板６１ａを効果的に振動させて、傾斜板６１ａに堆積した堆積物を効果的に除去することができる。
【００７８】
このような傾斜部６１の昇降動作によって傾斜部６１から剥離した堆積物は、処理水中で凝集して粗大化し、傾斜部６１の斜面を滑り落ちて沈澱池１の底部に沈降する。これにより、従来の空気洗浄装置のように傾斜部６１から剥離した堆積物が空気泡によって撹拌されて処理水中に分散したり水面に浮上したりすることが防止され、堆積物を効率よく除去して処理水の水質を向上させることができる。したがって、従来の空気洗浄装置のように傾斜部６１の洗浄中に沈澱池１に対する処理水の流入を停止させる必要がなく、沈澱池１による処理水の処理効率を向上させることができる。
【００７９】
また、沈降装置６および堆積物除去装置７を構成する昇降部６２と制御部６３は、従来の空気洗浄装置のように処理水中に設置する必要がなく、沈澱池１における処理水の水面よりも上方の水上部に設置することが可能である。そのため、処理水中に設置する従来の空気洗浄装置と比較して、沈降装置６および堆積物除去装置７の維持管理性を向上させることができる。
【００８０】
さらに、本実施形態の沈降装置６および堆積物除去装置７は、昇降部６２によって傾斜部６１を昇降させるように構成されている。そのため、たとえば、傾斜部６１の複数の傾斜板６１ａの傾斜角度を変化させるような装置とは異なり、沈澱池１の長さ方向（Ｘ軸方向）または幅方向（Ｙ軸方向）に、複数の沈降装置６または複数の堆積物除去装置７を隣接させて設置することが可能である。
【００８１】
また、本実施形態の沈降装置６および堆積物除去装置７において、昇降部６２は、たとえば、傾斜部６１の下降速度が傾斜部６１の上昇速度よりも高速になるように構成されている。または、本実施形態の沈降装置６および堆積物除去装置７において、制御部６３は、昇降部６２を制御して、傾斜部６１の下降速度を傾斜部６１の上昇速度よりも高速するように構成されている。
【００８２】
このような構成により、昇降部６２によって傾斜部６１を勢いよく下降させて傾斜部６１に堆積した堆積物の除去効率を向上させることができる。一例として、傾斜部６１の上昇速度は３０［ｍｍ／ｓ］程度であり、傾斜部６１の下降速度は５０［ｍｍ／ｓ］程度である。これにより、傾斜部６１の下降動作の終了時に、傾斜部６１に比較的に大きな慣性力を作用させ、傾斜部６１に堆積した堆積物を効果的に除去することができる。
【００８３】
なお、昇降部６２による傾斜部６１の下降速度は、たとえば、傾斜部６１の自由落下による落下速度と同等以上にすることができる。これにより、傾斜部６１の下降動作の終了時に、たとえば傾斜板６１ａなどの傾斜部６１がたわみながら振動することで、傾斜部６１に堆積した堆積物の除去効果を向上させることができる。一方、傾斜部６１の上昇速度が傾斜部６１の下降速度と同等以上である場合、傾斜部６１から剥離した堆積物が処理水の水面に浮上することで、沈澱池１の下流側に流れる処理水に堆積物が混入して水質を悪化させるおそれがある。
【００８４】
また、本実施形態の沈降装置６および堆積物除去装置７において、昇降部６２は、傾斜部６１を、処理水の流れ方向（Ｘ軸方向）に交差する幅方向（Ｙ軸方向）の両側で支持する支持部６４を有している。支持部６４は、少なくとも一方向に遊びを有して傾斜部６１を支持するように構成されている。
【００８５】
この構成により、昇降部６２による傾斜部６１の昇降動作にともなって、傾斜部６１を振動させやすくすることができ、傾斜部６１に堆積した堆積物を、より効果的に除去することができる。さらに、傾斜部６１を昇降部６２に固定せず、昇降部６２の支持部６４によって傾斜部６１を支持することで、たとえば地震が発生したときに、傾斜部６１と昇降部６２との相対的な移動を許容して、昇降部６２が損傷するのを防止できる。
【００８６】
また、本実施形態の沈降装置６および堆積物除去装置７において、支持部６４は、傾斜部６１を下方から支持する支持底部６４ｂと、傾斜部６１の両側に空隙を介して対向する移動規制部６４ａと、を有している。
【００８７】
この構成により、支持部６４において、傾斜部６１と移動規制部６４ａとの間の空隙が、傾斜部６１との間の遊びになり、傾斜部６１を振動しやすくすることができる。また、支持部６４は、傾斜部６１の両側の移動規制部６４ａの間での傾斜部６１の移動を許容しつつ、移動規制部６４ａの外側への移動を規制することができる。これにより、傾斜部６１と昇降部６２との相対的な移動を許容しつつ、傾斜部６１が支持部６４から脱落するのを防止できる。
【００８８】
また、本実施形態の沈降装置６および堆積物除去装置７において、支持部６４は、支持底部６４ｂの上方が開放されている。
【００８９】
この構成により、たとえば地震によって、傾斜部６１に鉛直方向上方の加速度が発生した場合に、傾斜部６１を下方から支持する支持底部６５ｂの上方が開放されているため、傾斜部６１の鉛直方向上方への移動を許容することができる。これにより、支持部６４および昇降部６２の損傷を防止することができる。
【００９０】
また、本実施形態の沈降装置６および堆積物除去装置７において、昇降部６２は、エアシリンダ６５と、そのエアシリンダ６５に設けられたスピードコントローラ６６と、を有している。また、支持部６４は、エアシリンダ６５のピストンロッド６５ａに連結されている。
【００９１】
この構成により、本実施形態の沈降装置６および堆積物除去装置７は、従来の空気洗浄装置と比較して、傾斜部６１に堆積した堆積物を除去するために必要な空気量を、大幅に削減することができる。これにより、従来の空気洗浄装置と比較して、傾斜部６１に堆積した堆積物を除去するのに必要な動力を、大幅に低減することができる。また、昇降部６２は、ピストンロッド６５ａに連結され、傾斜部６１を支持して昇降させる支持部６４の上昇速度と下降速度を、スピードコントローラ６６によって調節することができる。
【００９２】
また、本実施形態の沈降装置６において、傾斜部６１は、複数の傾斜板６１ａと、これら複数の傾斜板６１ａを支持するフレーム６１ｂと、そのフレーム６１ｂに傾斜板６１ａを連結する連結部６１ｃと、を有している。また、連結部６１ｃは、傾斜板６１ａに固定された第１部分６１ｃ１と、フレーム６１ｂに固定された第２部分６１ｃ２と、を有している。そして、これら第１部分６１ｃ１と第２部分６１ｃ２とは、遊びを有して係合している。
【００９３】
この構成により、傾斜部６１の昇降動作によって、傾斜部６１を構成する傾斜板６１ａを振動しやすくすることができる。これにより、傾斜板６１ａに堆積した堆積物の除去効率を、より向上させることができる。
【００９４】
以上説明したように、本実施形態によれば、傾斜部６１に堆積した堆積物を従来よりも効果的に除去することが可能な沈降装置６および堆積物除去装置７を提供することができる。
【００９５】
以上、図面を用いて本開示に係る堆積物除去装置および沈降装置の実施形態を詳述してきたが、具体的な構成はこの実施形態に限定されるものではなく、本開示の要旨を逸脱しない範囲における設計変更等があっても、それらは本開示に含まれるものである。
【００９６】
たとえば、前述の実施形態では、沈降装置６および堆積物除去装置７を一階層の沈澱池１に適用する例を説明したが、二階層以上の多階層式の沈澱池に本開示の沈降装置および堆積物除去装置を適用することも可能である。二階層沈澱池の例を、図８に示す。図８の上の図に示すように、沈降装置６および堆積物除去装置７は、たとえば、二層のみに適用することが可能である。多階層式の沈殿池において、流量分配を晴天時に均等となるように設定している場合は、沈殿池の構造上、雨天時に二層（下の層）の流量が増量される。この対応としても、一層のみに適用することは有効である。また、図８の下の図に示すように、一層と二層に設置した傾斜部６１を、水上部に設置した沈降装置６および堆積物除去装置７の昇降部６２および制御部６３によって昇降させることができる。
【符号の説明】
【００９７】
６        沈降装置
６１      傾斜部
６１ａ    傾斜板
６１ｂ    フレーム
６１ｃ    連結部
６１ｃ１  第１部分
６１ｃ２  第２部分
６２      昇降部
６３      制御部
６４      支持部
６４ａ    移動規制部
６４ｂ    支持底部
６５      エアシリンダ
６５ａ    ピストンロッド
６６      スピードコントローラ
７        堆積物除去装置
【図１】
2020138112.tif 000003
【図２】
2020138112.tif 000004
【図３】
2020138112.tif 000005
【図４】
2020138112.tif 000006
【図５】
2020138112.tif 000007
【図６】
2020138112.tif 000008
【図７】
2020138112.tif 000009
【図８】
2020138112.tif 000010
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
処理水の汚濁物質が堆積する傾斜部を１０［ｍｍ］以上の高さで昇降させる昇降部と、該昇降部による前記傾斜部の昇降を制御する制御部と、を備え、
前記制御部は、前記傾斜部の下降速度を５０［ｍｍ／ｓ］以上または自由落下による落下速度以上に制御することを特徴とする堆積物除去装置。
【請求項２】
前記昇降部は、前記傾斜部の下降速度が前記傾斜部の上昇速度よりも高速になるように構成されていることを特徴とする請求項１に記載の堆積物除去装置。
【請求項３】
前記制御部は、前記傾斜部の下降速度が前記傾斜部の上昇速度よりも高速になるように前記昇降部を制御することを特徴とする請求項１に記載の堆積物除去装置。
【請求項４】
前記傾斜部は、複数の傾斜板または傾斜管と、複数の前記傾斜板または前記傾斜管の長手方向の一端と他端を支持するフレームと、を有し、
前記フレームは、前記長手方向に延びる軸部を有し、
前記昇降部は、前記軸部を支持する支持部を有し、
前記支持部は、前記軸部を下方から支持する支持底部と、前記傾斜板または前記傾斜管の前記長手方向に交差する前記処理水の流れ方向における前記軸部の両側に空隙を介して対向する移動規制部と、を有することを特徴とする請求項１に記載の堆積物除去装置。
【請求項５】
前記支持部は、前記支持底部の上方が開放されていることを特徴とする請求項４に記載の堆積物除去装置。
【請求項６】
前記昇降部は、エアシリンダと、該エアシリンダに設けられたスピードコントローラと、を有し、
前記支持部は、前記エアシリンダのピストンロッドに連結されていることを特徴とする請求項４に記載の堆積物除去装置。
【請求項７】
処理水に含まれる汚濁物質が堆積する傾斜部と、該傾斜部を１０［ｍｍ］以上の高さで昇降させる昇降部と、該昇降部による前記傾斜部の昇降を制御する制御部と、を備え、
前記制御部は、前記傾斜部の下降速度を５０［ｍｍ／ｓ］以上または自由落下による落下速度以上に制御することを特徴とする沈降装置。
【請求項８】
前記傾斜部は、複数の傾斜板と、該複数の傾斜板を支持するフレームと、該フレームに前記傾斜板を連結する連結部と、を有し、
前記連結部は、前記傾斜板に固定された第１部分と、前記フレームに固定された第２部分と、を有し、
前記第１部分は、前記傾斜板の長手方向における両端と、下端とが開放されるように曲折された板状の部材であり、
前記第２部分は、前記長手方向に延びる軸状または棒状の部材であり、
前記第１部分を前記第２部分に引っ掛けることで、前記第１部分と前記第２部分とは、下方側に遊びを有して係合していること特徴とする請求項７に記載の沈降装置。